(57)【要約】【課題】スリットランプ顕微鏡において、種別が異なる光源に対する電力供給を単一の電源ユニットで行う。【解決手段】実施形態のスリットランプ顕微鏡は、照明系と、観察系と、操作部と、記憶部と、制御部とを有する。照明系は、光源から出力された光に基づくスリット光を被検眼に照射する。観察系は、接眼レンズおよび撮像素子のうち少なくとも一方の素子を含み、スリット光の被検眼からの戻り光を当該素子に導く。記憶部には、操作部による操作内容と電源ユニットから光源に供給される電力との関係を示す関係情報があらかじめ記憶されている。制御部は、操作部による操作内容および関係情報に基づいて、電源ユニットから光源に供給される電力を制御する。【選択図】図３
2014217440.tif 000002
【特許請求の範囲】
【請求項１】
光源から出力された光に基づくスリット光を被検眼に照射する照明系と、
接眼レンズおよび撮像素子のうち少なくとも一方の素子を含み、前記スリット光の被検眼からの戻り光を前記素子に導く観察系と、
操作部と、
前記操作部による操作内容と電源ユニットから光源に供給される電力との関係を示す関係情報があらかじめ記憶された記憶部と、
前記操作部による操作内容および前記関係情報に基づいて、前記電源ユニットから前記光源に供給される電力を制御する制御部と
を有するスリットランプ顕微鏡。
【請求項２】
前記関係情報は、光源に供給される電力と光源から出力される光の強度との間の関係を示す光源特性に基づいてあらかじめ作成されることを特徴とする請求項１に記載のスリットランプ顕微鏡。
【請求項３】
光源の種別を特定する特定部を有し、
前記記憶部には、光源の１以上の種別に対応する１以上の前記関係情報があらかじめ記憶され、
前記制御部は、前記特定部により特定された種別に対応する前記関係情報と、前記操作内容とに基づいて、前記電力の制御を行う
ことを特徴とする請求項２に記載のスリットランプ顕微鏡。
【請求項４】
光源特性が異なる複数の光源を選択的に前記照明系に装着するための装着部を有し、
前記特定部は、前記装着部に装着された光源の種別を特定する
ことを特徴とする請求項３に記載のスリットランプ顕微鏡。
【請求項５】
前記照明系は、光源特性が異なる複数の光源から出力された光をそれぞれ被検眼に導く複数の光路を形成し、
前記特定部は、前記複数の光源のうち前記電源ユニットから電力の供給を受けている光源の種別を特定する
ことを特徴とする請求項３に記載のスリットランプ顕微鏡。
【請求項６】
前記特定部は、
前記電源ユニットから電力の供給を受けている光源に印加されている電圧値および／または電流値を検出可能な第１検出部を含み、
前記第１検出部による検出結果と、前記操作部の状態と、前記１以上の関係情報とに基づいて、前記種別の特定を行う
ことを特徴とする請求項３〜請求項５のいずれか一項に記載のスリットランプ顕微鏡。
【請求項７】
前記特定部は、
前記光源から出力された光の強度を反映する値を取得する第２検出部を含み、
前記操作部による操作が行われたときに前記第２検出部により取得された２以上の前記値と、当該操作の操作内容と、前記１以上の関係情報とに基づいて、前記種別の特定を行う
ことを特徴とする請求項３〜請求項５のいずれか一項に記載のスリットランプ顕微鏡。
【請求項８】
前記記憶部には、光源の１以上の種別に対応する１以上の前記関係情報があらかじめ記憶され、
前記操作部は、光源の種別を指定するために用いられ、
前記制御部は、前記操作部を用いて指定された種別に対応する前記関係情報と、前記操作内容とに基づいて、前記電力の制御を行う
ことを特徴とする請求項２に記載のスリットランプ顕微鏡。
【請求項９】
前記記憶部には、光源の１以上の種別に対応する１以上の前記関係情報と、前記関係情報に関連付けられた属性情報とがあらかじめ記憶されており、
前記制御部は、属性情報の入力を受けて、当該属性情報が関連付けられた前記関係情報と、前記操作内容とに基づいて、前記電力の制御を行う
ことを特徴とする請求項２に記載のスリットランプ顕微鏡。
【請求項１０】
前記属性情報は、ユーザの識別情報、被検者の識別情報、被検眼の識別情報、検査種別および傷病名のうち少なくとも１つを含むことを特徴とする請求項９に記載のスリットランプ顕微鏡。
【請求項１１】
前記関係情報は、その前記操作内容および前記電力の関係と、前記光源特性における前記電力および前記光の強度の関係とを組み合わせたときに、前記操作内容と前記光の強度とが実質的に線形関係を有するようにあらかじめ作成されることを特徴とする請求項２〜請求項１０のいずれか一項に記載のスリットランプ顕微鏡。
【請求項１２】
前記制御部は、
前記関係情報における前記操作内容と前記電力との関係を変更する変更部を含み、
前記変更部により変更された前記関係情報と、前記操作部による操作内容とに基づいて、前記電力の制御を行う
ことを特徴とする請求項１〜請求項１１のいずれか一項に記載のスリットランプ顕微鏡。
【請求項１３】
前記変更部は、設置環境における環境条件を示す情報の入力を受けて、当該情報に基づいて前記関係の変更を行うことを特徴とする請求項１２に記載のスリットランプ顕微鏡。
【請求項１４】
前記環境条件は、温度および照度のうち少なくとも１つを含むことを特徴とする請求項１３に記載のスリットランプ顕微鏡。
【請求項１５】
前記変更部は、
前記電源ユニットから電力の供給を受けている光源に印加されている電圧値および／または電流値を検出可能な第３検出部を含み、
前記操作部による操作に伴う、前記第３検出部により取得される検出結果の変化に基づいて、前記関係の変更を行う
ことを特徴とする請求項１２に記載のスリットランプ顕微鏡。
【請求項１６】
前記記憶部には、前記関係情報の変更内容が属性情報に関連付けられてあらかじめ記憶されており、
前記変更部は、属性情報の入力を受けて、当該属性情報が関連付けられた前記変更内容に基づいて前記関係の変更を行う
ことを特徴とする請求項１２に記載のスリットランプ顕微鏡。
【請求項１７】
前記属性情報は、ユーザの識別情報、被検者の識別情報、被検眼の識別情報、検査種別および傷病名のうち少なくとも１つを含むことを特徴とする請求項１６に記載のスリットランプ顕微鏡。
【請求項１８】
外部装置との間で情報通信を行うための通信部を有し、
前記制御部は、前記光源の種別を示す情報を前記外部装置に送信させるように前記通信部を制御する
ことを特徴とする請求項１〜請求項１７のいずれか一項に記載のスリットランプ顕微鏡。
【請求項１９】
前記外部装置は、表示装置を含むコンピュータであり、
前記制御部は、前記光源の種別を示す情報を前記表示装置に表示させるための制御情報を前記光源の種別を示す情報とともに前記コンピュータに送信させるように前記通信部を制御する
ことを特徴とする請求項１８に記載のスリットランプ顕微鏡。
【請求項２０】
前記外部装置は、記憶装置を含むコンピュータであり、
前記制御部は、前記光源の種別を示す情報を前記記憶装置に記憶させるための制御情報を前記光源の種別を示す情報とともに前記コンピュータに送信させるように前記通信部を制御する
ことを特徴とする請求項１８に記載のスリットランプ顕微鏡。
【請求項２１】
前記観察系は、前記撮像素子を含み、
前記制御部は、前記光源の種別を示す情報、前記撮像素子による前記戻り光の検出結果に基づく画像データ、および、前記画像データと前記光源の種別を示す情報とを関連付けて前記記憶装置に記憶させるための前記制御情報を前記コンピュータに送信させるように、前記通信部を制御する
ことを特徴とする請求項２０に記載のスリットランプ顕微鏡。
【発明の詳細な説明】
【技術分野】
【０００１】
この発明はスリットランプ顕微鏡に関する。
【背景技術】
【０００２】
スリットランプ顕微鏡は、スリット光を用いて角膜の光切片を切り取ることにより角膜の断面の画像を取得する眼科装置である。スリットランプ顕微鏡では、目的に応じた様々な光源が用いられる。たとえば、演色性を重視する場合にはハロゲンランプが用いられる。また、光源の寿命を重視する場合や、眼の混濁を観察する場合にはＬＥＤ（Ｌｉｇｈｔ  Ｅｍｉｔｔｉｎｇ  Ｄｉｏｄｅ）が用いられる。また、ＬＥＤには、様々な出力波長のものがある。
【０００３】
実際の検査においては、複数種別の光源が選択的に使用される。あらかじめ複数の光源がスリットランプ顕微鏡に設けられている場合、これら光源を選択的に点灯させるように制御が行われる。また、複数の光源を選択的に搭載可能なスリットランプ顕微鏡もある。
【先行技術文献】
【特許文献】
【０００４】
【特許文献１】特開２０１２−２４５１１６号公報
【発明の概要】
【発明が解決しようとする課題】
【０００５】
ところで、光源は、その種別に固有の電気的特性（電力／光出力特性）を有する。たとえば、ＬＥＤにおいては印加電流の変化に応じて出力光の明るさ（照度）がほぼ線形に変化するのに対し、ハロゲンランプにおいては印加電圧と出力光の明るさとの間にこのような線形関係はない。
【０００６】
このような事情から、従来のスリットランプ顕微鏡では、光源に対して電力を供給する電源ユニットが光源の種別毎に設けられていた。そのため、複数種別の光源を設けること、さらには、適用可能な光源の種別を増やすことは、コストの増加要因であり、またメンテナンスの煩雑化要因になっていた。
【０００７】
なお、スリットランプ顕微鏡を用いた被検眼の観察時における明るさ調整は手動で行われることが多い。また、光源の種別にかかわらず同じ操作部を用いて明るさ調整が行われるのが一般的である。よって、従来の技術では、操作内容が同じであっても（たとえば操作部の回転量が同じであっても）、出力光の明るさの変化量が光源の種別によって異なってしまう。これは、明るさを調整する操作の煩雑化を招く。
【０００８】
この発明の目的は、種別が異なる光源に対する電力供給を単一の電源ユニットで行うことが可能なスリットランプ顕微鏡を提供することにある。
【課題を解決するための手段】
【０００９】
請求項１に記載の発明は、光源から出力された光に基づくスリット光を被検眼に照射する照明系と、接眼レンズおよび撮像素子のうち少なくとも一方の素子を含み、前記スリット光の被検眼からの戻り光を前記素子に導く観察系と、操作部と、前記操作部による操作内容と電源ユニットから光源に供給される電力との関係を示す関係情報があらかじめ記憶された記憶部と、前記操作部による操作内容および前記関係情報に基づいて、前記電源ユニットから前記光源に供給される電力を制御する制御部とを有するスリットランプ顕微鏡である。
請求項２に記載の発明は、請求項１に記載のスリットランプ顕微鏡であって、前記関係情報は、光源に供給される電力と光源から出力される光の強度との間の関係を示す光源特性に基づいてあらかじめ作成されることを特徴とする。
請求項３に記載の発明は、請求項２に記載のスリットランプ顕微鏡であって、光源の種別を特定する特定部を有し、前記記憶部には、光源の１以上の種別に対応する１以上の前記関係情報があらかじめ記憶され、前記制御部は、前記特定部により特定された種別に対応する前記関係情報と、前記操作内容とに基づいて、前記電力の制御を行うことを特徴とする。
請求項４に記載の発明は、請求項３に記載のスリットランプ顕微鏡であって、光源特性が異なる複数の光源を選択的に前記照明系に装着するための装着部を有し、前記特定部は、前記装着部に装着された光源の種別を特定することを特徴とする。
請求項５に記載の発明は、請求項３に記載のスリットランプ顕微鏡であって、前記照明系は、光源特性が異なる複数の光源から出力された光をそれぞれ被検眼に導く複数の光路を形成し、前記特定部は、前記複数の光源のうち前記電源ユニットから電力の供給を受けている光源の種別を特定することを特徴とする。
請求項６に記載の発明は、請求項３〜請求項５のいずれか一項に記載のスリットランプ顕微鏡であって、前記特定部は、前記電源ユニットから電力の供給を受けている光源に印加されている電圧値および／または電流値を検出可能な第１検出部を含み、前記第１検出部による検出結果と、前記操作部の状態と、前記１以上の関係情報とに基づいて、前記種別の特定を行うことを特徴とする。
請求項７に記載の発明は、請求項３〜請求項５のいずれか一項に記載のスリットランプ顕微鏡であって、前記特定部は、前記光源から出力された光の強度を反映する値を取得する第２検出部を含み、前記操作部による操作が行われたときに前記第２検出部により取得された２以上の前記値と、当該操作の操作内容と、前記１以上の関係情報とに基づいて、前記種別の特定を行うことを特徴とする。
請求項８に記載の発明は、請求項２に記載のスリットランプ顕微鏡であって、前記記憶部には、光源の１以上の種別に対応する１以上の前記関係情報があらかじめ記憶され、前記操作部は、光源の種別を指定するために用いられ、前記制御部は、前記操作部を用いて指定された種別に対応する前記関係情報と、前記操作内容とに基づいて、前記電力の制御を行うことを特徴とする。
請求項９に記載の発明は、請求項２に記載のスリットランプ顕微鏡であって、前記記憶部には、光源の１以上の種別に対応する１以上の前記関係情報と、前記関係情報に関連付けられた属性情報とがあらかじめ記憶されており、前記制御部は、属性情報の入力を受けて、当該属性情報が関連付けられた前記関係情報と、前記操作内容とに基づいて、前記電力の制御を行うことを特徴とする。
請求項１０に記載の発明は、請求項９に記載のスリットランプ顕微鏡であって、前記属性情報は、ユーザの識別情報、被検者の識別情報、被検眼の識別情報、検査種別および傷病名のうち少なくとも１つを含むことを特徴とする。
請求項１１に記載の発明は、請求項２〜請求項１０のいずれか一項に記載のスリットランプ顕微鏡であって、前記関係情報は、その前記操作内容および前記電力の関係と、前記光源特性における前記電力および前記光の強度の関係とを組み合わせたときに、前記操作内容と前記光の強度とが実質的に線形関係を有するようにあらかじめ作成されることを特徴とする。
請求項１２に記載の発明は、で請求項１〜請求項１１のいずれか一項に記載のスリットランプ顕微鏡あって、前記制御部は、前記関係情報における前記操作内容と前記電力との関係を変更する変更部を含み、前記変更部により変更された前記関係情報と、前記操作部による操作内容とに基づいて、前記電力の制御を行うことを特徴とする。
請求項１３に記載の発明は、請求項１２に記載のスリットランプ顕微鏡であって、前記変更部は、設置環境における環境条件を示す情報の入力を受けて、当該情報に基づいて前記関係の変更を行うことを特徴とする。
請求項１４に記載の発明は、請求項１３に記載のスリットランプ顕微鏡であって、前記環境条件は、温度および照度のうち少なくとも１つを含むことを特徴とする。
請求項１５に記載の発明は、請求項１２に記載のスリットランプ顕微鏡であって、前記変更部は、前記電源ユニットから電力の供給を受けている光源に印加されている電圧値および／または電流値を検出可能な第３検出部を含み、前記操作部による操作に伴う、前記第３検出部により取得される検出結果の変化に基づいて、前記関係の変更を行うことを特徴とする。
請求項１６に記載の発明は、請求項１２に記載のスリットランプ顕微鏡であって、前記記憶部には、前記関係情報の変更内容が属性情報に関連付けられてあらかじめ記憶されており、前記変更部は、属性情報の入力を受けて、当該属性情報が関連付けられた前記変更内容に基づいて前記関係の変更を行うことを特徴とする。
請求項１７に記載の発明は、請求項１６に記載のスリットランプ顕微鏡であって、前記属性情報は、ユーザの識別情報、被検者の識別情報、被検眼の識別情報、検査種別および傷病名のうち少なくとも１つを含むことを特徴とする。
請求項１８に記載の発明は、請求項１〜請求項１７のいずれか一項に記載のスリットランプ顕微鏡であって、外部装置との間で情報通信を行うための通信部を有し、前記制御部は、前記光源の種別を示す情報を前記外部装置に送信させるように前記通信部を制御することを特徴とする。
請求項１９に記載の発明は、請求項１８に記載のスリットランプ顕微鏡であって、前記外部装置は、表示装置を含むコンピュータであり、前記制御部は、前記光源の種別を示す情報を前記表示装置に表示させるための制御情報を前記光源の種別を示す情報とともに前記コンピュータに送信させるように前記通信部を制御することを特徴とする。
請求項２０に記載の発明は、請求項１８に記載のスリットランプ顕微鏡であって、前記外部装置は、記憶装置を含むコンピュータであり、前記制御部は、前記光源の種別を示す情報を前記記憶装置に記憶させるための制御情報を前記光源の種別を示す情報とともに前記コンピュータに送信させるように前記通信部を制御することを特徴とする。
請求項２１に記載の発明は、請求項２０に記載のスリットランプ顕微鏡であって、前記観察系は、前記撮像素子を含み、前記制御部は、前記光源の種別を示す情報、前記撮像素子による前記戻り光の検出結果に基づく画像データ、および、前記画像データと前記光源の種別を示す情報とを関連付けて前記記憶装置に記憶させるための前記制御情報を前記コンピュータに送信させるように、前記通信部を制御することを特徴とする。
【発明の効果】
【００１０】
この発明によれば、種別が異なる光源に対する電力供給を単一の電源ユニットで行うことが可能である。
【図面の簡単な説明】
【００１１】
【図１】実施形態に係るスリットランプ顕微鏡の構成の一例を表す概略図である。
【図２】実施形態に係るスリットランプ顕微鏡の構成の一例を表す概略図である。
【図３】実施形態に係るスリットランプ顕微鏡の構成の一例を表す概略図である。
【図４】実施形態に係るスリットランプ顕微鏡の構成の一例を説明するための概略図である。
【図５Ａ】実施形態に係るスリットランプ顕微鏡の構成の一例を説明するための概略図である。
【図５Ｂ】実施形態に係るスリットランプ顕微鏡の構成の一例を説明するための概略図である。
【図６】実施形態に係るスリットランプ顕微鏡の動作の一例を表すフローチャートである。
【図７】実施形態に係るスリットランプ顕微鏡の変形例の構成を表す概略図である。
【図８】実施形態に係るスリットランプ顕微鏡の構成の一例を表す概略図である。
【図９】実施形態に係るスリットランプ顕微鏡の動作の一例を表すフローチャートである。
【図１０】実施形態に係るスリットランプ顕微鏡の構成の一例を表す概略図である。
【図１１】実施形態に係るスリットランプ顕微鏡の構成の一例を表す概略図である。
【図１２】実施形態に係るスリットランプ顕微鏡の動作の一例を表すフローチャートである。
【図１３】実施形態に係るスリットランプ顕微鏡の構成の一例を表す概略図である。
【図１４】実施形態に係るスリットランプ顕微鏡の動作の一例を表すフローチャートである。
【図１５】実施形態に係るスリットランプ顕微鏡の構成の一例を表す概略図である。
【図１６】実施形態に係るスリットランプ顕微鏡の動作の一例を表すフローチャートである。
【図１７】実施形態に係るスリットランプ顕微鏡の構成の一例を表す概略図である。
【図１８】実施形態に係るスリットランプ顕微鏡の動作の一例を表すフローチャートである。
【図１９】実施形態に係るスリットランプ顕微鏡の構成の一例を表す概略図である。
【発明を実施するための形態】
【００１２】
実施形態に係るスリットランプ顕微鏡について、図面を参照しながら詳細に説明する。なお、以下の実施形態において、この明細書に記載された文献の記載内容を適宜援用することが可能である。
【００１３】
まず方向を定義しておく。装置光学系において最も被検者側に位置するレンズ（対物レンズ）から被検者に向かう方向を前方向とし、その逆方向を後方向とする。また、前方向に直交する水平方向を左右方向とする。更に、前後方向と左右方向の双方に直交する方向を上下方向とする。
【００１４】
〈第１の実施形態〉
［外観構成］
この実施形態に係るスリットランプ顕微鏡の外観構成について、図１を参照しながら説明する。スリットランプ顕微鏡１には、コンピュータ１００および電源ユニットが接続されている。
【００１５】
コンピュータ１００は、各種の制御処理や演算処理を行う。顕微鏡本体（光学系等を格納する筐体）とは別にコンピュータ１００を設ける代わりに、顕微鏡本体に同様のコンピュータを搭載した構成を適用することも可能である。
【００１６】
電源ユニット２００は、外部電源（商用電源、自家発電装置、バッテリなど）から入力される電力を、スリットランプ顕微鏡１の各部に供給する。電源ユニット２００は、顕微鏡本体とは別に設けられるか、或いは顕微鏡本体に格納される。
【００１７】
スリットランプ顕微鏡１はテーブル２上に載置される。コンピュータ１００は、他のテーブル上またはその他の場所に設置されてもよい。電源ユニット２００は、テーブル２の下や他の場所に設置されてもよい。基台４は、移動機構部３を介して水平方向に移動可能に構成されている。基台４は、操作ハンドル５を傾倒操作することにより移動される。
【００１８】
基台４の上面には、観察系６および照明系８を支持する支持部１５が設けられている。支持部１５には、観察系６を支持する支持アーム１６が左右方向に回動可能に取り付けられている。支持アーム１６の上部には、照明系８および背景照明系２０を支持する支持アーム１７が左右方向に回動可能に取り付けられている。支持アーム１６、１７は、それぞれ独立に同軸で回動可能とされている。
【００１９】
観察系６は、支持アーム１６を手動で回動させることで移動される。照明系８および背景照明系２０は、支持アーム１７を手動で回動させることで移動される。なお、各支持アーム１６、１７は、電気的な機構によって回動されるように構成されてもよい。その場合、各支持アーム１６、１７を回動させるための駆動力を発生するアクチュエータと、この駆動力を伝達する伝達機構とが設けられる。アクチュエータは、たとえばステッピングモータ（パルスモータ）により構成される。伝達機構は、たとえば歯車の組み合わせやラック・アンド・ピニオンなどによって構成される。
【００２０】
照明系８は、被検眼Ｅに照明光を照射する。前述のように、回動軸を中心に照明系８を左右方向に振ることができる。それにより被検眼Ｅに対する照明光の照射方向が変更される。照明系８を上下方向にも振れるように構成されてもよい。つまり、照明光の仰角や俯角を変更できるように構成されてもよい。なお、詳細については後述するが、符号５１Ａは、光源が装着される装着部を示している。
【００２１】
照明光の強度の変更は、基台４上に設けられた照明強度操作部１８を用いて行われる。照明強度操作部１８は、任意の形態であってよい。照明強度操作部１８の構成例として、回転つまみ、１つ以上のハードウェアキー（ボタン等）、１つ以上のソフトウェアキー（ＧＵＩ）がある。
【００２２】
背景照明系２０から照射される背景照明光の強度の変更についても、照明強度操作部１８を用いて行えるように構成してよい。また、照明光や背景照明光の強度の変更を、他の操作手段により行えるように構成することも可能である。他の操作手段としては、スリットランプ顕微鏡１の筐体に設けられた操作手段や、コンピュータ１００に設けられた操作手段がある。
【００２３】
観察系６は、照明光（および背景照明光）の被検眼Ｅからの戻り光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。観察系６による観察倍率は、鏡筒本体９の側面に設けられた観察倍率操作ノブ１１を用いて変更される。なお、照明光の戻り光には、正反射光や散乱光など、被検眼Ｅを経由した各種の光が含まれる。
【００２４】
鏡筒本体９に対峙する位置には顎受け台１０が配置されている。顎受け台１０には、被検者の顔を安定配置させるための顎受部１０ａと額当て１０ｂが設けられている。
【００２５】
鏡筒本体９には、被検眼Ｅを撮影するための撮像装置１３が接続されている。撮像装置１３は撮像素子を含む。撮像素子は、光を検出して電気信号（画像信号）を出力する光電変換素子を含む。撮像素子から出力された画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。また、ミラー１２は、背景照明系２０から出力される背景照明光を被検眼Ｅに向けて反射する。
【００２６】
［光学系の構成］
スリットランプ顕微鏡１の光学系の構成について、図２を参照しながら説明する。スリットランプ顕微鏡１は、観察系６と、照明系８と、背景照明系２０とを有する。
【００２７】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２８】
観察系６の左右の光学系のそれぞれは、対物レンズ３１、変倍光学系３２、絞り３３、リレーレンズ３５、プリズム３６および接眼レンズ３７を有する。ビームスプリッタ３４は、左右の光学系の一方にまたは双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｆは眼底をそれぞれ示している。符号Ｅｏは検者眼を示している。
【００２９】
変倍光学系３２は、複数（たとえば２枚）の変倍レンズ３２ａ、３２ｂを含んで構成される。変倍光学系３２の構成例として、観察系６の光路に対して選択的に挿入可能な複数の変倍レンズ群を設けることができる。これら変倍レンズ群は、それぞれ異なる倍率を付与するように構成されている。観察系６の光路に配置された変倍レンズ群が変倍光学系３２として用いられる。それにより、被検眼Ｅの肉眼観察像や撮影画像の倍率（画角）が任意に変更される。倍率の変更、つまり観察系６の光路に配置される変倍レンズ群の切り替えは、観察倍率操作ノブ１１を操作することにより行われる。また、図示しないスイッチ等を用いて電動で倍率を変更するように構成してもよい。
【００３０】
変倍光学系３２の他の構成例として、変倍光学系３２に含まれる複数の変倍レンズの間の距離を変更させる構成がある。この場合、複数の変倍レンズのうち少なくとも１つを移動させるための機構が設けられる。この機構は、観察倍率操作ノブ１１や図示しないスイッチを用いた操作を受けて動作する。
【００３１】
ビームスプリッタ３４は、観察光軸Ｏ１に沿って進む戻り光を二分割する。戻り光のうちビームスプリッタ３４を透過した成分は、リレーレンズ３５、プリズム３６および接眼レンズ３７を介して検者眼Ｅｏに導かれる。プリズム３６は、２つの光学素子３６ａ、３６ｂを含み、光の進行方向を上方に平行移動させる。
【００３２】
他方、戻り光のうちビームスプリッタ３４により反射された成分は、リレーレンズ４１およびミラー４２を介して、撮像装置１３の撮像素子４３に導かれる。撮像素子４３は、この戻り光を検出して画像信号を生成する。
【００３３】
〔照明系〕
照明系８は、光源５１、リレーレンズ５２、照明絞り５３、集光レンズ５４、スリット形成部５５および集光レンズ５６を有する。符号Ｏ２は、照明系８の光軸（照明光軸）を示す。
【００３４】
光源５１は照明光を出力する。この実施形態では、光源５１として複数種別の光源が設けられる。複数種別の光源には、定常光を出力する観察光源（ハロゲンランプ、ＬＥＤ等）と、フラッシュ光を出力する撮影光源（キセノンランプ、ＬＥＤ等）が含まれていてよい。また、この実施形態では、複数種別の観察光源が設けられる。複数種別の観察光源には、ハロゲンランプとＬＥＤが含まれるものとする。出力波長（色温度など）が異なる複数のＬＥＤを設けることが可能である。その場合、これらＬＥＤの種別は異なるものと考える。また、角膜観察用の光源と眼底観察用の光源とを別々に設けてよい。
【００３５】
この実施形態では、複数種別の光源（光源ユニット）が選択的に光源５１の位置に装着される。照明系８における光源５１の位置には装着部５１Ａが設けられている。複数種別の光源は、たとえば実質的に同一の外観形状を有する別々の光源ユニットとして構成されている。装着部５１Ａは、各光源ユニットを装着可能な構成を有する。具体例として、装着部５１Ａは、各光源ユニットが挿入される差込口（スロット）として構成される。光源ユニットの装着は、装置製造者、ユーザ、メンテナンス担当者（サービスマン）などによって行われる。
【００３６】
装着部５１Ａには電気接点が設けられている。装着部５１Ａに光源ユニットを装着させると、光源ユニットの電気接点と装着部５１Ａの電気接点とが接触する（つまり電気的に接続される）ようになっている。この電気的接続を介して電源ユニット２００から光源ユニットに電力が供給される。このようにして装着部５１Ａに装着された光源ユニットが光源５１として用いられる。
【００３７】
照明絞り５３は、その開口（または透光部）のサイズを変更可能に構成されている。光源５１から出力された光の一部または全部が開口（または透光部）を通過する。照明絞り５３には、角膜Ｅｃや水晶体による照明光の反射を低減させたり、照明光の明るさを調整したりといった用途がある。照明絞り５３は、たとえば眼底観察において有効に用いられる。
【００３８】
スリット形成部５５は、光源５１から出力された光からスリット光を生成するために用いられる。スリット形成部５５は、一対のスリット刃を有する。これらスリット刃の間隔（スリット幅）を変更することによりスリット光の幅が変更される。
【００３９】
〔背景照明系〕
背景照明系２０は、被検眼Ｅに背景照明光を照射する。背景照明光は、照明系８による被検眼Ｅに対する照明光の照射領域の周囲の領域に照射される。なお、背景照明光の照射領域は、少なくともこの周囲領域を含むものであればよい。たとえば、背景照明光の照射領域は、照明系８による照射領域の少なくとも一部と重複していてもよい。
【００４０】
背景照明系２０は、光源（背景光源）を含む。背景光源は、可視光を出力する可視光源を少なくとも含む。この可視光は、たとえば肉眼観察や撮影に用いられる。背景光源は、赤外光を出力する赤外光源を含んでいてもよい。この赤外光は、たとえばマイボーム腺の観察や撮影に用いられる。背景照明系２０が可視光源と背景光源の双方を含む場合、これら光源はたとえば択一的に使用される。背景照明系２０は、背景光源から出力された光を集束させる１つ以上のレンズを含んでいてもよい。符号Ｏ３は、背景照明系２０の光軸（背景照明光軸）を示す。
【００４１】
背景光源から出力された光は、（上記レンズによって集光された後、）ミラー１２により反射されて被検眼Ｅに照射される。この背景照明光の照射領域は、照明系８による被検眼Ｅの照射領域の周囲の領域を含む。
【００４２】
［情報処理系の構成］
スリットランプ顕微鏡１の情報処理系について、図３を参照しながら説明する。スリットランプ顕微鏡１の情報処理系は、演算制御部１１０を中心に構成されている。情報処理系の構成の少なくとも一部がコンピュータ１００に含まれていてもよい。
【００４３】
〔演算制御部〕
演算制御部１１０は、各種の演算処理と、スリットランプ顕微鏡１の各部の制御とを実行する。演算制御部１１０は、観察系６の制御、照明系８の制御、および背景照明系２０の制御を行う。観察系６の制御としては、変倍光学系３２の制御、絞り３３の制御、撮像素子４３の電荷蓄積時間、感度、フレームレート等の制御などがある。照明系８の制御としては、光源５１の制御、照明絞り５３の制御、スリット形成部５５の制御などがある。背景照明系２０の制御としては、背景光源の制御などがある。光源種別特定部１１１については、検出部１５１と併せて説明する。
【００４４】
演算制御部１１０は、電源ユニット２００の制御を行うことにより光源５１を制御することができる。たとえばハロゲンランプのように印加電圧の変化に応じて出力光の強度（照度）が変化するタイプの光源５１が用いられる場合、演算制御部１１０は、光源５１に対して電源ユニット２００が印加する電圧を制御する。また、たとえばＬＥＤのように印加電流の変化に応じて出力光の強度（照度）が変化するタイプの光源５１が用いられる場合、演算制御部１１０は、光源５１に対して電源ユニット２００が印加する電流を制御する。
【００４５】
操作部１３０（照明強度操作部１８など）を用いて照明光の強度を調整するための操作が行われると、その操作内容を示す信号（操作信号）が操作部１３０から演算制御部１１０に入力される。演算制御部１１０は、この操作信号が示す操作内容に応じた信号（制御信号）を生成して電源ユニット２００に送る。
【００４６】
この制御信号には、電源ユニット２００から光源５１に供給される電力の変更量または目標値が含まれる。電力の変更量は、光源５１に印加される電圧および／または電流の増加量または減少量を示す（つまり、現在の値からの増分または減分を示す）。また、電力の目標値は、光源５１に印加される電圧および／または電流の変更後の値を示す。なお、電源ユニット２００の制御において、変更量による制御と目標値による制御とは同等である。電源ユニット２００は、演算制御部１１０から入力される制御信号に基づいて、光源５１に対する印加電圧や印加電流を変更する。
【００４７】
演算制御部１１０は、光源５１を直接に制御してもよい。たとえば前述した光源ユニットからなる光源５１が用いられる場合において、演算制御部１１０は、この光源ユニットに含まれる回路を制御することができる。このような光源ユニットの制御が照明光の強度の制御に含まれる場合、制御対象となる回路を電源ユニット２００の一部とみなすことができる。
【００４８】
演算制御部１１０は、マイクロプロセッサ、ＲＡＭ、ＲＯＭ、ハードディスクドライブ等を含んで構成される。ＲＯＭ、ハードディスクドライブ等の記憶装置には、制御プログラムがあらかじめ記憶されている。演算制御部１１０の動作は、この制御プログラムとハードウェアとが協働することによって実現される。演算制御部１１０は、スリットランプ顕微鏡１の装置本体（たとえば基台４内）および／またはコンピュータ１００に配置される。
【００４９】
〔表示部〕
表示部１２０は、演算制御部１１０の制御を受けて各種の情報を表示する。表示部１２０は、フラットパネルディスプレイ（ＬＣＤ等）などの表示デバイスを含んで構成される。表示部１２０は、スリットランプ顕微鏡１の装置本体に設けられていてもよいし、コンピュータ１００に設けられていてもよい。
【００５０】
〔操作部〕
操作部１３０は、操作デバイスや入力デバイスを含んで構成される。操作部１３０には、スリットランプ顕微鏡１に設けられたボタンやスイッチ（たとえば操作ハンドル５、照明強度操作部１８等）、コンピュータ１００に設けられた操作デバイス（マウス、キーボード等）が含まれる。また、操作部１３０は、トラックボール、操作パネル、スイッチ、ボタン、ダイアルなど、任意の操作デバイスや入力デバイスを含んでいてよい。
【００５１】
図３では、表示部１２０と操作部１３０とを別々に表しているが、これらの少なくとも一部を一体的に構成することも可能である。その具体例として、タッチスクリーンを用いることができる。また、操作部１３０またはタッチ操作により指示を入力可能なＧＵＩを、表示部１２０に表示させることができる。
【００５２】
〔記憶部〕
記憶部１４０は、各種の情報を記憶する。記憶される情報としては、情報処理に用いられるデータやプログラム、スリットランプ顕微鏡１により取得された画像、他の装置から入力された画像、電子カルテなどがある。
【００５３】
記憶部１４０には、関係情報１４１があらかじめ記憶されている。関係情報１４１は、操作部１３０による操作内容と、電源ユニット２００から光源５１に供給される電力（電圧・電流）との関係を示す。関係情報１４１は、操作に応じた照明光の強度の制御に用いられる。つまり、関係情報１４１は、操作部１３０から入力される操作信号に基づいて電源ユニット２００に送信される制御信号を生成するために用いられる。
【００５４】
関係情報１４１は、たとえば光源特性に基づいて作成される。光源特性とは、光源５１の電力／光出力特性であり、光源５１に供給される電力と、光源５１から出力される光の強度との間の関係を示す。前述したように、光源は、その種別に応じた光源特性を有する。関係情報１４１には、光源の種別毎の関係情報が含まれる。以下、例示として、ＬＥＤについての関係情報およびハロゲンランプについての関係情報を説明する。
【００５５】
この実施形態では、照明光の強度を変更するための操作は、照明強度操作部１８を用いて行われるものとする。また、照明強度操作部１８は回転つまみであり、その操作内容は回転つまみの回転位置であるとする。照明強度操作部１８は、その回転位置を検出して電気信号を出力するエンコーダを含む。このエンコーダは、照明強度操作部１８の回転位置を１２００段階で検出するものとする。エンコーダが生成する電気信号は、操作信号として演算制御部１１０に入力される。演算制御部１１０は、この操作信号に基づいて制御信号を生成して電源ユニット２００に送る。照明光の強度（明るさ）は照度（単位ルクス：ｌｘ）で表される。
【００５６】
また、デフォルトの制御状態において、操作内容と供給電力との関係は、比例関係であるとする。つまり、デフォルトの制御状態において、電源ユニット２００から光源５１に印加される電圧または電流の値が、照明強度操作部１８（回転つまみ）の回転位置（０〜１２００）に比例するように、演算制御部１１０は電源ユニット２００を制御するものとする。
【００５７】
ＬＥＤに関する関係情報について図４を参照して説明する。上記のように、デフォルトの制御状態において、演算制御部１１０は、照明強度操作部１８の回転位置に比例する電流を光源５１（ＬＥＤ）に印加するように電源ユニット２００を制御する。また、前述したように、ＬＥＤにおいては、印加電流の変化に応じて出力光の強度がほぼ線形に変化する。つまり、印加電流の値と出力光の強度とがほぼ比例する。したがって、デフォルトの制御状態において、図４に示すように、照明強度操作部１８の回転位置と、出力光の強度とがほぼ比例する。よって、ＬＥＤについての関係情報として、たとえば、照明強度操作部１８の回転位置とＬＥＤに対する印加電流とが実質的に線形に関係付けた情報（グラフ、テーブルなど）を用いることができる。なお、この関係情報と、ＬＥＤの光源特性とを組み合わせると、図４に示すグラフが実質的に得られる。ＬＥＤの光源特性と組み合わせた場合に図４のグラフが実質的に得られるように、ＬＥＤの関係情報を設定することもできる。なお、この関係情報はデフォルトの制御状態と実質的に同一であるから、ＬＥＤについての関係情報を設けなくてもよい。
【００５８】
ハロゲンランプに関する関係情報について図５Ａおよび図５Ｂを参照して説明する。前述したように、ハロゲンランプにおいては、印加電圧と出力光の強度との間に、ＬＥＤのような線形関係はない。図５Ａに破線で示すグラフは、ハロゲンランプにおける、照明強度操作部１８の回転位置と、照明光の強度との関係の例を示す。この破線グラフに示す特性は、前述したデフォルトの制御状態（操作内容と供給電力との関係）と、ハロゲンランプの光源特性（印加電圧と出力光の強度との関係）とを組み合わせて得られる情報であり、操作内容（照明強度操作部１８の回転位置）とハロゲンランプからの出力光の強度との関係を示す。
【００５９】
図５Ｂは、この破線グラフに示す特性を、図５Ａに実線で示すグラフに変換するための関係情報の例を示す。この関係情報の導出方法として、このハロゲンランプまたはこれと同種のハロゲンランプに対する印加電圧と出力光の強度とを実際に測定する方法や、シミュレーションによる方法などがある。ハロゲンランプに関する関係情報としては、図５Ｂに示すグラフまたはこれと同等の情報（テーブル情報など）を適用することが可能である。光源５１としてハロゲンランプが用いられる場合、演算制御部１１０は、照明強度操作部１８からの操作信号と、ハロゲンランプに関する関係情報とに基づいて、制御信号を生成する。
【００６０】
〔検出部〕
検出部１５１は、電源ユニット２００から電力の供給を受けている光源５１に印加されている電圧値または電流値を検出する。検出部１５１は第１検出部の例である。検出部１５１は、たとえば、光源５１の端子電圧を求める電圧計として機能する回路と、光源５１に入力される電流を求める電流計として機能する回路とを含む。検出部１５１は、電圧や電流の検出結果を示す電気信号（検出信号）を光源種別特定部１１１に送る。
【００６１】
光源種別特定部１１１は、検出部１５１による検出結果と、操作部１３０の状態と、関係情報１４１とに基づいて、光源５１の種別を特定する。検出部１５１による検出結果は検出信号に相当する。操作部１３０の状態は、操作部１３０の現在の状態（検出部１５１による検出時における状態）であり、たとえば照明強度操作部１８の現在の回転位置である。関係情報１４１は、たとえば、ＬＥＤに関する関係情報と、ハロゲンランプに関する関係情報とを含む（つまり、光源５１として適用可能な光源種別のそれぞれの関係情報が含まれる）。
【００６２】
光源種別特定部１１１は、検出信号から電圧値または電流値を求め、操作信号から回転位置を求める。さらに、光源種別特定部１１１は、求められた電圧値または電流値および回転位置に基づいて、光源５１として現に適用されている光源種別を特定する。この光源種別特定処理は、たとえば、電圧値（または電流値）と回転位置とのペア（２次元空間における座標）を求め、この２次元座標が最も合致する関係情報を特定し、その関係情報に対応する光源種別を求める処理を含む。ここで、２次元座標と関係情報との照合処理は、たとえば、関係情報１４１に含まれる１以上の関係情報が示すグラフ（２次元空間に定義されたグラフである）上の座標のうち、上記ペアからなる２次元座標との誤差が最も小さな座標を特定し、特定された座標が含まれるグラフに対応する関係情報を求める処理を含む。
【００６３】
検出部１５１が電圧値および電流値の一方のみ検出可能である場合、その検出結果に基づいて上記処理が実行される。他方、検出部１５１が電圧値および電流値の双方を検出可能である場合、次の２つのケースがある：（１）双方の検出結果が光源種別特定部１１１に入力される場合；（２）光源５１の種別に応じた検出（電圧検出または電流検出）の結果のみが光源種別特定部１１１に入力される場合。ケース（１）の場合、光源種別特定部１１１は、たとえば、電圧値および電流値の検出結果それぞれについて、上記処理を実行する。ケース（２）の場合、光源種別特定部１１１は、電圧値または電流値の検出結果に基づいて上記処理を実行する。
【００６４】
前述したＬＥＤの場合のように、デフォルトの制御状態が適用される場合において、その光源種別に対応する関係情報が設けられないことがある。その場合、電圧値（または電流値）と回転位置とのペアからなる２次元座標が、関係情報１４１に含まれるいずれの光源種別の関係情報にも合致しないことがありうる。この場合、光源種別特定部１１１は、デフォルトの制御状態に対応する光源種別を当該光源ユニットの光源種別と推定することができる。
【００６５】
この場合における処理の具体例を説明する。演算制御部１１０は、光源種別特定部１１１による当該推定結果に基づき、光源種別を確認するためのメッセージと、確認結果を入力するためのソフトウェアキーとを、表示部１２０に表示させることができる。ユーザは、操作部１３０を用いて応答する。上記推定結果を追認する旨の応答が入力された場合、演算制御部１１０は、推定された光源種別が当該光源ユニットの光源種別であるとして以降の処理を実行する。他方、上記推定結果を否認する旨の応答が入力された場合には、演算制御部１１０は、たとえば、複数の光源種別を選択可能に列挙したプルダウンメニューを表示部１２０に表示させる。ユーザが操作部１３０を用いて光源種別を選択すると、演算制御部１１０は、選択された光源種別が当該光源ユニットの光源種別であるとして以降の処理を実行する。
【００６６】
この実施形態のように、装着部５１Ａに装着されている光源の種別を特定する場合、次のような構成を用いることが可能である。光源種別毎に外形が異なる光源ユニットを適用する。また、このような外形の相異を検出可能なセンサ（マイクロスイッチなど）を装着部５１Ａに設ける。光源ユニットが装着部５１Ａに装着されると、この光源ユニットの外形をセンサが検出する。センサは、その検出結果を示す信号（検出信号）を光源種別特定部１１１へ送る。光源種別特定部１１１は、この検出信号に基づいて当該光源ユニットの光源種別を特定する。
【００６７】
さらに他の構成として、光源種別に応じた信号を出力可能な回路を各光源ユニットに設ける。光源ユニットが装着部５１Ａに装着され、電源ユニット２００からの電力供給が開始されたことに対応し、この光源ユニット内の回路から光源種別特定部１１１に所定の信号が送られる。光源種別特定部１１１は、この信号に基づいて当該光源ユニットの光源種別を特定する。なお、装着部５１Ａに装着されている光源の種別を特定する方法はこれらに限定されるものではない。
【００６８】
［動作］
スリットランプ顕微鏡１の動作について説明する。スリットランプ顕微鏡１の動作例を図６に示す。
【００６９】
（Ｓ１：光源ユニットを装着する）
装着部５１Ａに光源ユニットが装着される。光源ユニットの装着は、装置製造者、ユーザ、メンテナンス担当者などによって行われる。装着された光源ユニットが光源５１として用いられる。
【００７０】
（Ｓ２：電源を投入する）
所定のトリガ動作がなされると、演算制御部１１０は、電源ユニット２００を制御してスリットランプ顕微鏡１に電源を投入する。光源５１にも電力が供給される。
【００７１】
（Ｓ３：電圧値／電流値を検出する）
検出部１５１は、光源５１に印加されている電圧値および／または電流値を検出する。その検出結果は、光源種別特定部１１１に送られる。
【００７２】
（Ｓ４：光源の種別を特定する）
光源種別特定部１１１は、検出部１５１から入力された検出信号と、操作部１３０の現在の状態と、関係情報１４１とに基づいて、光源５１の種別を特定する。
【００７３】
（Ｓ５：対応する関係情報を特定する）
演算制御部１１０は、光源種別特定部１１１により特定された光源種別に対応する関係情報を、関係情報１４１のうちから特定する。
【００７４】
（Ｓ６：関係情報を用いて光源の制御を行う）
演算制御部１１０は、照明強度操作部１８を用いた操作を受けて、ステップ５で特定された関係情報を参照しつつ光源５１の制御を行う。
【００７５】
［作用・効果］
実施形態に係るスリットランプ顕微鏡１の作用および効果について説明する。
【００７６】
スリットランプ顕微鏡１は、照明系８と、観察系６と、操作部１３０と、記憶部１４０と、演算制御部１１０とを有する。照明系８は、光源５１から出力された光に基づくスリット光を被検眼Ｅに照射する。観察系６は、スリット光の被検眼Ｅからの戻り光を接眼レンズ３７および撮像素子４３に導く。操作部１３０は、光源５１から出力される光の強度を変更するための照明強度操作部１８を含む。記憶部１４０には関係情報１４１があらかじめ記憶されている。関係情報１４１は、操作部１３０（照明強度操作部１８）による操作内容と、電源ユニット２００から光源５１に供給される電力との関係を示す。演算制御部１１０は、制御部の一例として機能し、操作部１３０（照明強度操作部１８）による操作内容と関係情報１４１とに基づいて、電源ユニット２００から光源５１に供給される電力を制御する。
【００７７】
このようなスリットランプ顕微鏡１によれば、光源５１に関する操作内容と供給電力との関係を示す関係情報１４１を参照して光源５１の制御を行うことができるので、種別が異なる光源に対する電力供給を単一の電源ユニットで行うことが可能である。
【００７８】
実施形態において、光源５１に供給される電力と光源５１から出力される光の強度との間の関係を示す光源特性に基づいて、関係情報１４１を作成することができる。
【００７９】
それにより、適用される光源５１の固有の特性に応じた制御が可能である。なお、従来の技術では、個々の光源の特性にかかわらず、上記したデフォルトの制御状態で光源の制御を行なっていたので、この実施形態のような個々の光源特性に応じた制御を行うことはできない。
【００８０】
実施形態において、光源５１の種別を特定する特定部を設けることができる。その場合、記憶部１４０の関係情報１４１には、光源５１の１以上の種別に対応する１以上の関係情報が含まれていてよい。さらに、演算制御部１１０は、特定部により特定された種別に対応する関係情報と、操作部１３０による操作内容とに基づいて、光源５１に供給される電力の制御を行うことができる。
【００８１】
このような構成によれば、スリットランプ顕微鏡１に適用されている光源５１の種別を自動で特定し、特定された光源種別に応じた電力供給制御を行うことができるので、操作性や利便性において有利である。
【００８２】
特定部を含む実施形態において、光源特性が異なる複数の光源を選択的に照明系８に装着するための装着部５１Ａを設けることができる。その場合、特定部は、装着部５１Ａに装着された光源の種別を特定することができる。
【００８３】
このような構成によれば、複数の光源ユニットを選択的に装着する構成のスリットランプ顕微鏡１において、光源種別の自動特定と、光源種別に応じた電力供給制御とを実現することが可能となる。
【００８４】
特定部は、電源ユニット２００から電力の供給を受けている光源５１に印加されている電圧値および／または電流値を検出可能な第１検出部（検出部１５１）を含んでいてよい。その場合、特定部は、第１検出部（検出部１５１）による検出結果と、操作部１３０（照明強度操作部１８）の状態と、関係情報１４１に含まれる１以上の関係情報とに基づいて、光源５１の種別の特定を行うことができる。
【００８５】
実施形態において、操作部１３０（照明強度操作部１８）による操作量と、光源５１から出力される光の強度とが実質的に線形関係になるように、関係情報１４１を作成することができる。換言すると、関係情報における操作内容および供給電力の関係と、光源５１の光源特性における供給電力および出力光の強度の関係とを組み合わせたときに、操作内容と出力光の強度とが実質的に線形関係を有するように、関係情報１４１を作成することができる。
【００８６】
操作内容と出力光の強度とが実質的に線形関係を有するようにすれば、操作部１３０による操作内容（照明強度操作部１８の回転量）に対して実質的に比例するように。出力光の強度が変化する。よって、直感的に自然な照明光の強度の調整が可能となる。なお、上記実施形態におけるデフォルトの制御状態は、これに相当する。関係情報１４１を本例のように作成することにより、任意の光源種別が適用されている場合において、デフォルトの制御状態と同様の直感的に自然な操作が可能となる。
【００８７】
［特定部の変形例］
特定部の変形例を説明する。変形例の構成を図７に示す。この変形例では、図３に示す検出部１５１の代わりに光検出部１５２が設けられている。
【００８８】
光検出部１５２は第２検出部として機能し、光源５１から出力された光の強度を反映する値（光強度値と呼ぶ）を取得する。光強度値は、光源５１から出力された光の強度の変化に応じて変動する値を示す。光強度値の例として、光源５１から出力された光の強度、光源５１から出力されて１以上の光学素子を経由した光の強度、被検眼Ｅからの戻り光の強度、被検眼Ｅから出射して１以上の光学素子を経由した光の強度などがある。
【００８９】
光検出部１５２は、操作部１３０（照明強度操作部１８）による操作に対応する光源５１からの出力光の強度変化を取得するための検出を行う。たとえば、光検出部１５２は、操作に応じた光源５１の制御が行われる前と、当該制御が行われた後とにそれぞれ検出を行うことができる。また、光検出部１５２は、操作に応じた光源５１の制御が行われているときに、２回以上検出を行うことができる。
【００９０】
なお、光検出部１５２が実行する検出のタイミングを演算制御部１１０が制御するように構成することができる。また、所定の時間間隔で検出を繰り返す光検出部１５２を適用し、且つ、光源種別特定部１１１が、所定の時間間隔で取得される検出結果のうちから必要なタイミングに相当する検出結果を選択するようにしてもよい。
【００９１】
光源種別特定部１１１は、操作部１３０（照明強度操作部１８）による操作が行われたときに光検出部１５２により取得された２以上の光強度値と、当該操作の操作内容と、関係情報１４１とに基づいて、光源５１の種別の特定を行うことができる。
【００９２】
この処理の例を説明する。まず、光源種別特定部１１１は、光強度値と、操作部１３０の操作内容（照明強度操作部１８の回転位置）とのペアからなる２次元座標を求める。次に、光源種別特定部１１１は、この２次元座標が、当該操作によってどれだけ変化したかを求める。続いて、光源種別特定部１１１は、この変化量（たとえば２次元座標系における傾き）と最も合致する傾きを有するグラフ（関係情報）を特定する。そして、光源種別特定部１１１は、特定された関係情報に対応する光源種別を、光源５１の種別として採用する。なお、光強度値の検出において、光源５１から出力される光の強度以外の条件は常に同じであるとし、光源５１から出力される光の強度と、光強度値との関係は既知であるとする。
【００９３】
〈第２の実施形態〉
第１の実施形態では、光源特性が異なる複数の光源（光源ユニット）を選択的に装着する場合が説明されている。これに対し、第２の実施形態では、複数の光源があらかじめ設けられている照明系を有するスリットランプ顕微鏡について説明する。なお、照明系に設けられる光源の個数は任意であるが、以下の例では２つの光源が設けられている場合を説明する。第１の実施形態と同様の構成要素については同じ符号で参照する。
【００９４】
［構成］
第２の実施形態に係るスリットランプ顕微鏡の構成例を図８に示す。このスリットランプ顕微鏡には、光源特性（光源種別）が異なる２つの光源５１ａおよび５１ｂが設けられている。第１光源５１ａはたとえばＬＥＤであり、第２光源５１ｂはたとえばハロゲンランプである。
【００９５】
照明系８は、第１光源５１ａおよび第２光源５１ｂから出力された光をそれぞれ被検眼Ｅに導く２つの光路を形成している。２つの光路のうち第１の光路は、第１光源５１ａから被検眼Ｅに至る光路であり、第２の光路は、第２光源５１ｂから被検眼Ｅに至る光路である。第１の光路と第２の光路とはビームスプリッタにて合流され、共通の光学系を介して被検眼Ｅに至る。このビームスプリッタは、たとえば、リレーレンズ５２の前段に配置される。また、照明絞り５３の前段にビームスプリッタを配置し、且つ、光源５１ａおよび５１ｂのそれぞれとビームスプリッタとの間にリレーレンズを設けることができる。なお、複数の光源に対応する複数の光路の構成はこれらに限定されるものではない。
【００９６】
電源ユニット２００は、第１光源５１ａおよび第２光源５１ｂのそれぞれに電力を供給することが可能である。演算制御部１１０は、電源ユニット２００を制御することにより、第１光源５１ａおよび第２光源５１ｂに対して択一的に電力を供給させる。
【００９７】
スリットランプ顕微鏡は、第１光源５１ａおよび第２光源５１ｂのうち電源ユニット２００から電力の供給を受けている光源の種別を特定する機能を有する。この機能（特定部）は、たとえば検出部１５１と光源種別特定部１１１により実現される。検出部１５１は、第１の実施形態と同様に、電源ユニット２００から電力の供給を受けている光源に印加されている電圧値および／または電流値を検出することができる。検出部１５１は、第１検出部の例である。光源種別特定部１１１は、第１の実施形態と同様に、検出部１５１による検出結果と、操作部１３０（照明強度操作部１８）の状態と、関係情報１４１とに基づいて、第１光源５１ａおよび第２光源５１ｂのうち電源ユニット２００から電力の供給を受けている光源の種別を特定する。
【００９８】
なお、第１の実施形態において変形例として説明したように、次の構成を適用することが可能である。まず、光強度値を取得する光検出部１５２（第２検出部）を設ける。さらに、光源種別特定部１１１は、操作部１３０（照明強度操作部１８）による操作が行われたときに光検出部１５２により取得された２以上の光強度値と、当該操作の操作内容と、関係情報１４１とに基づいて、第１光源５１ａおよび第２光源５１ｂのうち電源ユニット２００から電力の供給を受けている光源の種別を特定する。
【００９９】
第２の実施形態における関係情報１４１は、第１の実施形態と同様であってよい。たとえば、関係情報における操作内容および供給電力の関係と、光源特性における供給電力および出力光の強度の関係とを組み合わせたときに、操作内容と出力光の強度とが実質的に線形関係を有するように、関係情報１４１を作成することができる。この場合において、デフォルトの制御状態が第１の実施形態と同様に線形関係に基づく場合、ＬＥＤについては特に関係情報を設ける必要はなく、ハロゲンランプについては図５Ｂに示す関係情報が用いられる。
【０１００】
［動作］
第２の実施形態に係るスリットランプ顕微鏡の動作について説明する。このスリットランプ顕微鏡の動作例を図９に示す。
【０１０１】
（Ｓ１１：光源を指定する）
ユーザまたは演算制御部１１０は、使用される光源を指定する。ユーザによる指定は、操作部１３０を用いて行われる。演算制御部１１０による指定は、たとえば、あらかじめ指定された動作モードに応じて行われる。
【０１０２】
（Ｓ１２：指定された光源に電力を供給する）
演算制御部１１０は、ステップ１で指定された光源（第１光源５１ａまたは第２光源５１ｂ）に電力を供給するように電源ユニット２００を制御する。
【０１０３】
（Ｓ１３：電圧値／電流値を検出する）
検出部１５１は、ステップ１２で電力供給が開始された光源に印加されている電圧値および／または電流値を検出する。その検出結果は、光源種別特定部１１１に送られる。
【０１０４】
（Ｓ１４：光源の種別を特定する）
光源種別特定部１１１は、検出部１５１から入力された検出信号と、操作部１３０の現在の状態と、関係情報１４１とに基づいて、ステップ１１で指定された光源の種別を特定する。
【０１０５】
（Ｓ１５：対応する関係情報を特定する）
演算制御部１１０は、光源種別特定部１１１により特定された光源種別に対応する関係情報を、関係情報１４１のうちから特定する。
【０１０６】
（Ｓ１６：関係情報を用いて光源の制御を行う）
演算制御部１１０は、照明強度操作部１８を用いた操作を受けて、ステップ１５で特定された関係情報を参照しつつ、ステップ１１で指定された光源の制御を行う。
【０１０７】
［作用・効果］
第２の実施形態に係るスリットランプ顕微鏡の作用および効果について説明する。
【０１０８】
スリットランプ顕微鏡は、第１の実施形態と同様に、照明系８と、観察系６と、操作部１３０と、記憶部１４０と、演算制御部１１０とを有するので、光源に関する操作内容と供給電力との関係を示す関係情報１４１を参照して光源の制御を行うことができ、種別が異なる光源に対する電力供給を単一の電源ユニットで行うことが可能である。
【０１０９】
第２の実施形態において、第１の実施形態と同様に、光源に供給される電力と光源から出力される光の強度との間の関係を示す光源特性に基づいて、関係情報１４１を作成することができる。それにより、適用される光源の固有の特性に応じた制御が可能である。
【０１１０】
第２の実施形態において、第１の実施形態と同様に、光源の種別を特定する特定部を設けることができる。その場合、記憶部１４０の関係情報１４１には、光源の１以上の種別に対応する１以上の関係情報が含まれていてよい。さらに、演算制御部１１０は、特定部により特定された種別に対応する関係情報と、操作部１３０による操作内容とに基づいて、光源に供給される電力の制御を行うことができる。このような構成によれば、スリットランプ顕微鏡に適用されている光源の種別を自動で特定し、特定された光源種別に応じた電力供給制御を行うことができるので、操作性や利便性において有利である。
【０１１１】
特定部を含む実施形態において、光源特性が異なる複数の光源（第１光源５１ａおよび第２光源５１ｂ）から出力された光をそれぞれ被検眼Ｅに導く複数の光路を形成する照明系８を適用することができる。その場合、特定部は、複数の光源（第１光源５１ａおよび第２光源５１ｂ）のうち電源ユニット２００から電力の供給を受けている光源の種別を特定することができる。
【０１１２】
このような構成によれば、複数の光源が設けられた照明系８を有するスリットランプ顕微鏡において、光源種別の自動特定と、光源種別に応じた電力供給制御とを実現することが可能となる。
【０１１３】
特定部は、電源ユニット２００から電力の供給を受けている光源に印加されている電圧値および／または電流値を検出可能な第１検出部（検出部１５１）を含んでいてよい。その場合、特定部は、第１検出部（検出部１５１）による検出結果と、操作部１３０（照明強度操作部１８）の状態と、関係情報１４１に含まれる１以上の関係情報とに基づいて、光源の種別の特定を行うことができる。
【０１１４】
特定部は、光源から出力された光の強度を反映する値を取得する第２検出部（光検出部１５２）を含んでいてよい。その場合、特定部は、操作部１３０による操作が行われたときに第２検出部により取得された２以上の値と、当該操作の操作内容と、関係情報１４１とに基づいて、光源の種別の特定を行うことができる。
【０１１５】
第２の実施形態において、関係情報における操作内容および供給電力の関係と、光源５１の光源特性における供給電力および出力光の強度の関係とを組み合わせたときに、操作内容と出力光の強度とが実質的に線形関係を有するように、関係情報１４１を作成することができる。それにより、直感的に自然な照明光の強度の調整が可能となる。
【０１１６】
〈第３の実施形態〉
第２の実施形態では、ユーザまたはスリットランプ顕微鏡が指定した光源の動作状態（端子電圧、端子電流、出力光の強度など）を検出することにより光源種別を特定している。これに対し、第３の実施形態では、光源種別をユーザが指定する場合について説明する。第１の実施形態または第２の実施形態と同様の構成要素については同じ符号で参照する。
【０１１７】
第３の実施形態に係るスリットランプ顕微鏡の構成例を図１０に示す。記憶部１４０に記憶されている関係情報１４１には、第１の実施形態で説明したケースと同様に、光源５１の１以上の種別に対応する１以上の関係情報が含まれている。
【０１１８】
操作部１３０は、光源５１の種別を指定するために用いられる。この指定操作は、たとえば、演算制御部１１０が表示部１２０に表示させるＧＵＩと、操作部１３０とを用いて行われる。
【０１１９】
演算制御部１１０は、操作部１３０を用いて指定された光源種別に対応する関係情報と、操作部１３０（照明強度操作部１８）による操作内容とに基づいて、光源５１に対する供給電力を制御する。
【０１２０】
このような実施形態によれば、第１の実施形態と同様に、光源に関する操作内容と供給電力との関係を示す関係情報１４１を参照して光源の制御を行うことができるので、種別が異なる光源に対する電力供給を単一の電源ユニットで行うことが可能である。
【０１２１】
第３の実施形態において、第１の実施形態と同様に、光源に供給される電力と光源から出力される光の強度との間の関係を示す光源特性に基づいて、関係情報１４１を作成することができる。それにより、適用される光源の固有の特性に応じた制御が可能である。
【０１２２】
また、第３の実施形態によれば、ユーザが指定した光源種別に対応する関係情報を用いて光源５１の制御を行うことができる。したがって、比較的簡易な構成で、種別に応じた光源５１の制御を実現することが可能である。
【０１２３】
第３の実施形態において、関係情報における操作内容および供給電力の関係と、光源５１の光源特性における供給電力および出力光の強度の関係とを組み合わせたときに、操作内容と出力光の強度とが実質的に線形関係を有するように、関係情報１４１を作成することができる。それにより、直感的に自然な照明光の強度の調整が可能となる。
【０１２４】
〈第４の実施形態〉
第４の実施形態では、所定の属性情報に基づいて関係情報を選択的に使用する場合について説明する。第１の実施形態〜第３の実施形態のいずれかと同様の構成要素については同じ符号で参照する。
【０１２５】
［構成］
第４の実施形態に係るスリットランプ顕微鏡は、たとえば第３の実施形態と同様の構成を有する（図１０を参照）。また、第４の実施形態に係る関係情報１４１の例を図１１に示す。第１の実施形態と同様に、関係情報１４１には、１以上の光源種別に対応する関係情報１４１ａ〜１４１ｃが含まれている。さらに、第４の実施形態においては、関係情報１４１ａ〜１４１ｃに対して、それぞれ属性情報１４２ａ〜１４２ｃが関連付けられている。
【０１２６】
属性情報１４２ａ〜１４２ｃは、あらかじめ設定された１つ以上の属性項目に関する。属性項目は、たとえば、ユーザの識別情報、被検者の識別情報、被検眼の識別情報、検査種別および傷病名のうち少なくとも１つを含む。ユーザの識別情報は、スリットランプ顕微鏡を使用する医師の識別情報であり、たとえば医療機関にて割り当てられた医師ＩＤ、氏名などである。被検者の識別情報は、患者の識別情報であり、たとえば医療機関にて割り当てられた患者ＩＤ、氏名、保険証番号などである。被検眼の識別情報は、たとえば、被検眼が左眼であるか右眼であるかを示す情報である。検査種別は、スリットランプ顕微鏡を用いて実施される検査の種別であり、たとえば前眼部観察、前眼部撮影、眼底観察、眼底撮影などがある。傷病名は、たとえば、既に診断がなされた傷病の名称、疑いのある傷病の名称、スクリーニング対象となる傷病の名称である。属性情報１４２ａ〜１４２ｃには、上記のような属性項目の少なくとも１つに関する情報が含まれている。
【０１２７】
関係情報１４１ａ〜１４１ｃと属性情報１４２ａ〜１４２ｃとの関連付けの例を説明する。関係情報１４１ａはＬＥＤに対応し、関係情報１４１ｂはハロゲンランプに対応しているとする。その場合、関係情報１４１ａに関連付けられた属性情報１４２ａには、たとえば、属性項目「検査種別」として、眼の混濁を観察するための「前眼部観察」が含まれる。また、関係情報１４１ｂに関連付けられた属性情報１４２ｂには、たとえば、属性項目「検査種別」として、演色性が重視される「眼底観察」が含まれる。
【０１２８】
演算制御部１１０は、属性情報の入力を受ける。属性情報の入力は、たとえばユーザが操作部１３０を用いることにより行われる。また、あらかじめ設定された動作モードに基づき自動で属性情報を入力することができる。また、スリットランプ顕微鏡に通信インターフェイスが設けられている場合、演算制御部１１０は、他の装置から属性情報を取得することができる。また、スリットランプ顕微鏡にドライブ装置が設けられている場合、演算制御部１１０は、記録媒体に記録されている属性情報を読み出すことができる。
【０１２９】
［動作］
第４の実施形態に係るスリットランプ顕微鏡の動作について説明する。このスリットランプ顕微鏡の動作例を図１２に示す。なお、このスリットランプ顕微鏡は、第２の実施形態と同様に、複数の光源を有しているとする（たとえばＬＥＤとハロゲンランプとを有する）。
【０１３０】
（Ｓ２１：属性情報が入力される）
演算制御部１１０は、属性情報の入力を受ける。
【０１３１】
（Ｓ２２：関係情報を特定する）
演算制御部１１０は、ステップ２１で入力された属性情報に関連付けられた関係情報を、関係情報１４１に含まれる１以上の関係情報のうちから特定する。特定された関係情報が２つ以上ある場合、演算制御部１１０は、これら関係情報（光源種別）を選択可能に表示部１２０に提示し、ユーザが選択したものを採用する。また、他の属性情報を参照して関係情報の候補をさらに絞ることもできる。
【０１３２】
（Ｓ２３：対応する光源に電力を供給する）
演算制御部１１０は、ステップ２２で特定された関係情報に対応する光源に電力を供給するように電源ユニット２００を制御する。
【０１３３】
（Ｓ２４：関係情報を用いて光源の制御を行う）
演算制御部１１０は、照明強度操作部１８を用いた操作を受けて、ステップ２２で特定された関係情報を参照しつつ光源の制御を行う。
【０１３４】
［作用・効果］
第４の実施形態に係るスリットランプ顕微鏡の作用および効果について説明する。
【０１３５】
第４の実施形態によれば、第１の実施形態と同様に、光源に関する操作内容と供給電力との関係を示す関係情報１４１を参照して光源の制御を行うことができるので、種別が異なる光源に対する電力供給を単一の電源ユニットで行うことが可能である。
【０１３６】
第４の実施形態において、第１の実施形態と同様に、光源に供給される電力と光源から出力される光の強度との間の関係を示す光源特性に基づいて、関係情報１４１を作成することができる。それにより、適用される光源の固有の特性に応じた制御が可能である。
【０１３７】
第４の実施形態の記憶部１４０には、光源５１の１以上の種別に対応する１以上の関係情報と、これら関係情報に関連付けられた属性情報とがあらかじめ記憶されている。演算制御部１１０は、属性情報の入力を受けて、この属性情報が関連付けられた関係情報と、操作部１３０（照明強度操作部１８）による操作内容とに基づいて、光源５１に対する供給電力を制御する。なお、属性情報は、ユーザの識別情報、被検者の識別情報、被検眼の識別情報、検査種別および傷病名のうち少なくとも１つを含んでいてよい。
【０１３８】
このような構成によれば、入力される属性情報に応じて関係情報を自動で選択し、それを用いて光源５１の制御を行うことが可能である。よって、操作性や利便性において優れている。
【０１３９】
第４の実施形態において、関係情報における操作内容および供給電力の関係と、光源５１の光源特性における供給電力および出力光の強度の関係とを組み合わせたときに、操作内容と出力光の強度とが実質的に線形関係を有するように、関係情報１４１を作成することができる。それにより、直感的に自然な照明光の強度の調整が可能となる。
【０１４０】
〈第５の実施形態〉
光源特性は、スリットランプ顕微鏡が設置されている環境条件に応じて変動する。たとえば、光源特性は、温度などの環境条件に応じて変動する。また、スリットランプ顕微鏡が設置されている環境の明るさに応じて、必要とされる照明光の強度が変わることがある。たとえば、明るい環境においては比較的明るい照明光が必要であり、暗い環境においては比較的暗い照明光で十分なことがある。第５の実施形態では、このような環境条件に応じて関係情報を補正する機能について説明する。第５の実施形態は、第１〜第４の実施形態およびその変形例に適用することができる。
【０１４１】
［構成例１］
第５の実施形態に係るスリットランプ顕微鏡の構成例を図１３に示す。この構成例は、第１の実施形態に関係情報変更部１１２および環境条件入力部１６０を付加したものである。なお、その他の実施形態や変形例に、関係情報変更部１１２および環境条件入力部１６０を付加した構成を適用することも可能である。
【０１４２】
環境条件入力部１６０は、スリットランプ顕微鏡の設置環境における環境条件を示す情報を演算制御部１１０に入力する。環境条件の項目は、たとえば、温度および明るさ（照度）のうち少なくとも１つを含む。環境条件が温度を含む場合、環境条件入力部１６０は、たとえば温度センサを含んで構成される。また、環境条件が照度を含む場合、環境条件入力部１６０は、たとえば照度センサを含んで構成される。このようなセンサが含まれる場合、環境条件入力部１６０は、センサにより取得された検出結果を示す電気信号を関係情報変更部１１２に入力する。
【０１４３】
環境条件入力部１６０の他の例として、環境条件を示す情報を他の装置から取得することができる。この他の装置は、たとえばコンピュータや医療装置である。その場合、環境条件入力部１６０は、他の装置との間で情報通信を行うための通信インターフェイスを含む。
【０１４４】
関係情報変更部１１２は、関係情報１４１における操作内容と供給電力との関係を変更するものであり、変更部の一例として機能する。本例においては、関係情報変更部１１２は、環境条件入力部１６０から入力される電気信号を受け、この電気信号が示す環境条件の情報に基づいて操作内容と供給電力との関係を変更する。
【０１４５】
この処理を行うために、スリットランプ顕微鏡には、環境条件と、関係情報１４１の変更内容とを対応付けた情報（関係変更情報）があらかじめ記憶されている。関係変更情報は、たとえば、記憶部１４０、演算制御部１１０または関係情報変更部１１２に記憶されている。
【０１４６】
関係変更情報は、たとえば、環境条件の変化に対する光源特性の変化を実際に測定することによって作成される。また、環境条件の変化に対する光源特性の変化をシミュレーションすることによって関係変更情報を作成してもよい。また、光源の製造者が提供する情報に基づいて関係変更情報を作成してもよい。このような作成方法は、環境条件が温度である場合などに用いられる。
【０１４７】
一方、環境条件が照度である場合には、ユーザの好みに応じて関係変更情報を作成したり、修正したりすることができる。また、多数の医師の意見や、熟練した医師の意見を考慮して関係変更情報を作成することもできる。
【０１４８】
構成例１に係るスリットランプ顕微鏡の動作について説明する。このスリットランプ顕微鏡の動作例を図１４に示す。
【０１４９】
（Ｓ３１：光源ユニットを装着する）
装着部５１Ａに光源ユニットが装着される。
【０１５０】
（Ｓ３２：電源を投入する）
所定のトリガ動作がなされると、演算制御部１１０は、電源ユニット２００を制御してスリットランプ顕微鏡１に電源を投入する。光源５１にも電力が供給される。
【０１５１】
（Ｓ３３：電圧値／電流値を検出する）
検出部１５１は、光源５１に印加されている電圧値および／または電流値を検出する。その検出結果は、光源種別特定部１１１に送られる。
【０１５２】
（Ｓ３４：光源の種別を特定する）
光源種別特定部１１１は、検出部１５１から入力された検出信号と、操作部１３０の現在の状態と、関係情報１４１とに基づいて、光源５１の種別を特定する。
【０１５３】
（Ｓ３５：対応する関係情報を特定する）
演算制御部１１０は、光源種別特定部１１１により特定された光源種別に対応する関係情報を、関係情報１４１のうちから特定する。
【０１５４】
（Ｓ３６：環境条件が入力される）
環境条件入力部１６０は、環境条件を示す情報を関係情報変更部１１２に入力する。なお、環境条件を示す情報の入力は、このステップまでの任意のタイミングで行われる。
【０１５５】
（Ｓ３７：関係情報を補正する）
関係情報変更部１１２は、ステップ３６で入力された環境条件を示す情報に基づいて、ステップ３５で特定された関係情報を補正する。補正とは、関係情報における操作内容と供給電力との関係を変更することである。
【０１５６】
（Ｓ３８：関係情報を用いて光源の制御を行う）
演算制御部１１０は、照明強度操作部１８を用いた操作を受けて、ステップ３７で補正された関係情報を参照しつつ光源５１の制御を行う。
【０１５７】
構成例１に係るスリットランプ顕微鏡の作用および効果を説明する。
【０１５８】
構成例１に係るスリットランプ顕微鏡は、第１〜第４の実施形態のいずれかまたはその変形例と同様の作用および効果を奏する。
【０１５９】
また、構成例１に係るスリットランプ顕微鏡において、演算制御部１１０は、関係情報変更部１１２（変更部）を有する。関係情報変更部１１２は、関係情報１４１における、操作部１３０（照明強度操作部１８）による操作内容と、光源５１への供給電力との関係を変更する。さらに、演算制御部１１０は、関係情報変更部１１２により変更された関係情報と、操作部１３０（照明強度操作部１８）による操作内容とに基づいて、光源５１に対する供給電力を制御する。
【０１６０】
関係情報変更部１１２は、スリットランプ顕微鏡の設置環境における環境条件を示す情報の入力を受けて、この情報に基づいて関係情報を補正することができる。
【０１６１】
このような構成によれば、環境条件に応じた光源特性の変動に合わせて関係情報を補正し、補正された関係情報を用いて光源５１の制御を行うことができる。したがって、光源５１の制御をより高い確度で行うことが可能である。
【０１６２】
［構成例２］
第５の実施形態に係るスリットランプ顕微鏡の他の構成例を図１５に示す。この構成例は、第１の実施形態に関係情報変更部１１２を付加したものである。なお、その他の実施形態や変形例に、関係情報変更部１１２を付加した構成を適用することも可能である。
【０１６３】
この構成例に係るスリットランプ顕微鏡は、光源５１に対する電力の供給状態に応じて関係情報を補正する。
【０１６４】
検出部１５１は、電源ユニット２００から電力の供給を受けている光源５１に印加されている電圧値および／または電流値を検出可能である。検出部１５１は、第３検出部の一例として機能する。検出部１５１は、光源種別特定部１１１と関係情報変更部１１２に検出信号を送ることができる。検出部１５１の構成は第１の実施形態と同様であってよい。
【０１６５】
操作部１３０（照明強度操作部１８）による操作が行われると、演算制御部１１０は、現在適用されている関係情報に基づいて、電源ユニット２００から光源５１に供給される電力を調整する。よって、操作部１３０（照明強度操作部１８）による操作が行われると、検出部１５１による検出結果が変化する。関係情報変更部１１２は、操作部１３０による操作に伴う検出結果（端子電圧、端子電流など）の変化に基づいて、関係情報における操作内容と供給電力との関係を変更する。
【０１６６】
関係情報を変更する処理の例を説明する。前述したように、関係情報は、操作部１３０による操作内容と、電源ユニット２００から光源５１に供給される電力との関係を示す。しかし、環境条件や装置の状態（経年劣化など）により、操作内容が同一であっても供給電力が変動することがある。関係情報変更部１１２は、この変動をキャンセルするように関係情報を補正する。
【０１６７】
そのために、関係情報変更部１１２は、検出部１５１による検出結果、つまり端子電圧や端子電流などの供給電力を示す値（実測値）を受け付ける。次に、関係情報変更部１１２は、この実測値と、関係情報において現在の操作内容に対応する供給電力を示す値（目標値）との差分を算出する。続いて、関係情報変更部１１２は、この差分をキャンセルするように関係情報を補正する。すなわち、関係情報変更部１１２は、現在の操作内容に対応する検出部１５１による検出結果が目標値となるように関係情報を補正する。このときの補正量は、あらかじめ取得されたシミュレーション結果や実測結果に基づいて算出される。或いは、検出と補正とを繰り返すことにより、実測値を目標値に追い込むように構成することも可能である。
【０１６８】
構成例２に係るスリットランプ顕微鏡の動作について説明する。このスリットランプ顕微鏡の動作例を図１６に示す。
【０１６９】
（Ｓ４１：光源ユニットを装着する）
装着部５１Ａに光源ユニットが装着される。
【０１７０】
（Ｓ４２：電源を投入する）
所定のトリガ動作がなされると、演算制御部１１０は、電源ユニット２００を制御してスリットランプ顕微鏡１に電源を投入する。光源５１にも電力が供給される。
【０１７１】
（Ｓ４３：電圧値／電流値を検出する）
検出部１５１は、光源５１に印加されている電圧値および／または電流値を検出する。その検出結果は、光源種別特定部１１１に送られる。
【０１７２】
（Ｓ４４：光源の種別を特定する）
光源種別特定部１１１は、検出部１５１から入力された検出信号と、操作部１３０の現在の状態と、関係情報１４１とに基づいて、光源５１の種別を特定する。
【０１７３】
（Ｓ４５：対応する関係情報を特定する）
演算制御部１１０は、光源種別特定部１１１により特定された光源種別に対応する関係情報を、関係情報１４１のうちから特定する。
【０１７４】
（Ｓ４６：電圧値／電流値を検出する）
検出部１５１は、光源５１に印加されている電圧値および／または電流値を検出する。その検出結果は、関係情報変更部１１２に送られる。なお、現段階までの間に照明強度操作部１８による操作が行われなかった場合には、ステップ４３で得られた検出結果を関係情報変更部１１２に送るようにしてもよい。
【０１７５】
（Ｓ４７：関係情報を補正する）
関係情報変更部１１２は、ステップ４６で取得された検出結果と関係情報１４１とに基づいて、ステップ４５で特定された関係情報を補正する。
【０１７６】
（Ｓ４８：関係情報を用いて光源の制御を行う）
演算制御部１１０は、照明強度操作部１８を用いた操作を受けて、ステップ４７で補正された関係情報を参照しつつ光源５１の制御を行う。
【０１７７】
構成例２に係るスリットランプ顕微鏡の作用および効果を説明する。
【０１７８】
構成例２に係るスリットランプ顕微鏡は、第１〜第４の実施形態のいずれかまたはその変形例と同様の作用および効果を奏する。
【０１７９】
また、構成例２に係るスリットランプ顕微鏡において、演算制御部１１０は、関係情報変更部１１２（変更部）を有する。関係情報変更部１１２は、関係情報１４１における、操作部１３０（照明強度操作部１８）による操作内容と、光源５１への供給電力との関係を変更する。さらに、演算制御部１１０は、関係情報変更部１１２により変更された関係情報と、操作部１３０（照明強度操作部１８）による操作内容とに基づいて、光源５１に対する供給電力を制御する。
【０１８０】
この構成例の関係情報変更部１１２は、検出部１５１（第３検出部）を含む。検出部１５１は、電源ユニット２００から電力の供給を受けている光源５１に印加されている電圧値および／または電流値を検出可能である。さらに、関係情報変更部１１２は、操作部１３０（照明強度操作部１８）による操作に伴う検出部１５１により取得される検出結果の変化に基づいて関係情報を補正する。
【０１８１】
このような構成によれば、光源５１に実際に供給されている電力の状態を監視しつつ関係情報を補正し、補正された関係情報を用いて光源５１の制御を行うことができる。したがって、光源５１の制御をより高い確度で行うことが可能である。
【０１８２】
［構成例３］
第５の実施形態に係るスリットランプ顕微鏡の他の構成例を説明する。この構成例に係るスリットランプ顕微鏡は、所定の属性情報に基づいて関係情報１４１を補正する。属性情報は、第４の実施形態と同様の情報である。
【０１８３】
この構成例は、図１７に示すような関係情報１４１が用いられる。この構成例の関係情報１４１は、第４の実施形態の関係情報１４１（図１１を参照）に関係変更情報１４３ａ〜１４３ｃを付加したものである。関係変更情報１４３ａ〜１４３ｃは、それぞれ属性情報１４２ａ〜１４２ｃに関連付けられている。なお、第４の実施形態以外の実施形態や変形例に、図１７のような関係情報１４１を付加した構成を適用することも可能である。
【０１８４】
関係変更情報１４３ａ〜１４３ｃは、対応する関係情報１４１ａ〜１４１ｃを補正するために用いられる。関係変更情報１４３ａ〜１４３ｃには、対応する関係情報１４１ａ〜１４３ｃの変更内容が含まれている。この変更内容は、属性情報の内容に基づいて任意に設定される。なお、属性情報１４２ａ〜１４２ｃは、たとえば、ユーザの識別情報、被検者の識別情報、被検眼の識別情報、検査種別および傷病名のうち少なくとも１つを含む。関係情報変更部１１２は、関係変更情報１４３ａ（１４３ｂ〜１４３ｃ）に基づいて関係情報１４１ａ（１４１ｂ〜１４１ｃ）を補正する。
【０１８５】
構成例３に係るスリットランプ顕微鏡の動作について説明する。このスリットランプ顕微鏡の動作例を図１８に示す。
【０１８６】
（Ｓ５１：光源ユニットを装着する）
装着部５１Ａに光源ユニットが装着される。
【０１８７】
（Ｓ５２：電源を投入する）
所定のトリガ動作がなされると、演算制御部１１０は、電源ユニット２００を制御してスリットランプ顕微鏡１に電源を投入する。光源５１にも電力が供給される。
【０１８８】
（Ｓ５３：電圧値／電流値を検出する）
検出部１５１は、光源５１に印加されている電圧値および／または電流値を検出する。その検出結果は、光源種別特定部１１１に送られる。
【０１８９】
（Ｓ５４：光源の種別を特定する）
光源種別特定部１１１は、検出部１５１から入力された検出信号と、操作部１３０の現在の状態と、関係情報１４１とに基づいて、光源５１の種別を特定する。
【０１９０】
（Ｓ５５：対応する関係情報を特定する）
演算制御部１１０は、光源種別特定部１１１により特定された光源種別に対応する関係情報を、関係情報１４１のうちから特定する。
【０１９１】
（Ｓ５６：属性情報が入力される）
演算制御部１１０は、属性情報の入力を受ける。
【０１９２】
（Ｓ５７：補正内容を特定する）
演算制御部１１０は、ステップ５６で入力された属性情報に関連付けられた関係変更情報に基づいて、関係情報の補正内容を特定する。補正内容とは、関係情報における操作内応と供給電力との関係の変更内容である。
【０１９３】
（Ｓ５８：関係情報を補正する）
関係情報変更部１１２は、ステップ５７で特定された補正内容に基づいて、ステップ５５で特定された関係情報を補正する。
【０１９４】
（Ｓ５９：関係情報を用いて光源の制御を行う）
演算制御部１１０は、照明強度操作部１８を用いた操作を受けて、ステップ５８で補正された関係情報を参照しつつ光源５１の制御を行う。
【０１９５】
構成例３に係るスリットランプ顕微鏡の作用および効果を説明する。
【０１９６】
構成例３に係るスリットランプ顕微鏡は、第１〜第４の実施形態のいずれかまたはその変形例と同様の作用および効果を奏する。
【０１９７】
また、構成例３に係るスリットランプ顕微鏡において、記憶部１４０には、関係情報の変更内容が属性情報に関連付けられてあらかじめ記憶されている。関係情報変更部１１２（変更部）は、属性情報の入力を受けて、この属性情報が関連付けられた変更内容に基づいて関係情報を補正する。
【０１９８】
このような構成によれば、入力された属性情報に応じて関係情報を補正し、補正された関係情報を用いて光源５１の制御を行うことができる。したがって、光源５１の制御をより高い確度で行うことが可能である。
【０１９９】
〈第６の実施形態〉
第６の実施形態では、光源種別を示す情報を外部装置に送信する場合について説明する。外部装置は、当該スリットランプ顕微鏡以外の装置である。外部装置の例として、コンピュータや医療装置がある。
【０２００】
第６の実施形態に係るスリットランプ顕微鏡の構成例を図１９に示す。この構成例は、第１の実施形態に係るスリットランプ顕微鏡に通信部１７０を付加したものである。通信部１７０は、演算制御部１１０の制御の下に外部装置３００との間で情報通信を行う。通信部１７０は、通信インターフェイスを含む。スリットランプ顕微鏡と外部装置３００との間の通信回線は、たとえばＬＡＮ、ＷＡＮ、直接接続線である。また、この通信回線は有線でも無線でもよい。演算制御部１１０は、光源種別を示す情報を外部装置３００に送信させるように通信部１７０を制御する。光源種別を特定する方法は、第１〜第５の実施形態およびその変形例のいずれかにおいて説明した方法であってよい。
【０２０１】
外部装置３００は、表示装置を含むコンピュータであってよい。その場合、演算制御部１１０は、通信部１７０を制御することにより、光源５１の種別を示す情報を表示装置に表示させるための制御情報と、光源５１の種別を示す情報とを、コンピュータに送信させる。通信部１７０から送信された情報を受信したコンピュータは、制御情報に含まれるコマンドに基づいて、光源５１の種別を示す情報を表示装置に表示させる。この処理において、光源５１を用いて取得された画像データや、被検者・被検眼・医師に関する付帯情報も送信するようにしてよい。さらに、コンピュータは、光源種別を示す情報に加えて、画像や付帯情報を表示装置に表示させることができる。
【０２０２】
外部装置３００は、記憶装置を含むコンピュータであってよい。このコンピュータは、たとえば、電子カルテを管理するサーバ、画像データを管理するサーバである。その場合、演算制御部１１０は、通信部１７０を制御することにより、光源５１の種別を示す情報を記憶装置に記憶させるための制御情報と、光源５１の種別を示す情報とを、コンピュータに送信させる。通信部１７０から送信された情報を受信したコンピュータは、制御情報に含まれるコマンドに基づいて、光源５１の種別を示す情報を記憶装置に記憶させる。
【０２０３】
外部装置３００が記憶装置を含むコンピュータである場合において、次の構成をさらに付加することが可能である。その場合、観察系６は、撮像素子４３を含むものとする（接眼レンズ３７は含まれなくてもよい）。演算制御部１１０は、次の情報群をコンピュータに送信させるように通信部１７０を制御することができる：（１）光源５１の種別を示す情報；（２）撮像素子４３による戻り光の検出結果に基づく画像データ；（３）この画像データと光源５１の種別を示す情報とを関連付けて記憶させるための制御情報。これら情報を受信したコンピュータは、制御情報に含まれるコマンドに基づいて、光源５１の種別を示す情報と画像データとを関連付けて、記憶装置に記憶させる。また、この処理において、被検者・被検眼・医師に関する付帯情報を送信し、この付帯情報を記憶装置に記憶させることができる。
【０２０４】
第６の実施形態によれば、光源５１の種別を示す情報を外部装置３００に提供することができる。また、この情報に加えて、画像データや付帯情報を外部装置３００に提供することも可能となる。
【０２０５】
上記において実施形態および変形例として説明した構成は、この発明を実施するための一例に過ぎない。この発明を実施しようとする者は、この発明の要旨の範囲内における任意の変形（付加、省略、置換等）を行うことが可能である。
【符号の説明】
【０２０６】
１  スリットランプ顕微鏡
６  観察系
８  照明系
１３  撮像装置
３７  接眼レンズ
４３  撮像素子
５１  光源
５１Ａ  装着部
５１ａ  第１光源
５１ｂ  第２光源
５５  スリット形成部
１００  コンピュータ
１１０  演算制御部
１１１  光源種別特定部
１１２  関係情報変更部
１２０  表示部
１３０  操作部
１４０  記憶部
１４１  関係情報
１４１ａ〜１４１ｃ  関係情報
１４２ａ〜１４２ｃ  属性情報
１４３ａ〜１４３ｃ  関係変更情報
１５１  検出部
１５２  光検出部
１６０  環境条件入力部
１７０  通信部
２００  電源ユニット
Ｅ  被検眼
【図１】
2014217440.tif 000003
【図２】
2014217440.tif 000004
【図３】
2014217440.tif 000005
【図４】
2014217440.tif 000006
【図５Ａ】
2014217440.tif 000007
【図５Ｂ】
2014217440.tif 000008
【図６】
2014217440.tif 000009
【図７】
2014217440.tif 000010
【図８】
2014217440.tif 000011
【図９】
2014217440.tif 000012
【図１０】
2014217440.tif 000013
【図１１】
2014217440.tif 000014
【図１２】
2014217440.tif 000015
【図１３】
2014217440.tif 000016
【図１４】
2014217440.tif 000017
【図１５】
2014217440.tif 000018
【図１６】
2014217440.tif 000019
【図１７】
2014217440.tif 000020
【図１８】
2014217440.tif 000021
【図１９】
2014217440.tif 000022